(57)【要約】本発明は、動映像とコンテンツのオーバーレイ処理方法およびそれを利用した電子メールの処理方法と前記方法を実施させるためのプログラムを記録したコンピュータが読める記録媒体に関するもので、サーバー側でコンテンツを動映像と合成せずに、各々圧縮された動映像と、使用者の望む位置および形態にオーバーレイされるように、使用者によって編集された編集情報とコンテンツデーター情報とを含むスクリプト（Ｓｃｒｉｐｔ）を使用者のコンピュータまたは電子メールのサーバーに伝送し、使用者または電子メール受信者のコンピュータ側で動映像にコンテンツがオーバーレイされるようにすることによって、データー伝送のためのコーディングおよびデコーディング処理に伴う損失によってコンテンツが歪曲される現象を防止することができ、動映像と電子メールメッセージをさり気なくオーバーレイさせることができて独特でありながら高級な感じにメールメッセージを伝達することができ、オーバーレイされたコンテンツをインタラクティブ（Ｉｎｔｅｒａｃｔｉｖｅ）化して、動映像広告に適用する場合、広告効果を増大させることができるようにしたものである。
2004519143.tif 000002
【特許請求の範囲】
【請求項１】
インターネットを介して多数の使用者のコンピュータと連結され動映像サービスを提供する動映像処理方法において、
提供された多数の動映像の中の一つを選択する動映像選択段階と；
前記選択された動映像にオーバーレイさせる一つ以上のコンテンツを選択するコンテンツ選択段階と；
前記動映像と前記コンテンツに対する編集情報を生成する編集情報生成段階と；
前記編集情報生成段階で生成された編集情報と、コンテンツデーター情報とを含めてスクリプト（Ｓｃｒｉｐｔ）を生成するスクリプト生成段階と；
前記動映像をコーディングしたデーターと前記スクリプトとを使用者のコンピュータに伝送する伝送段階とを含むことを特徴とする動映像とコンテンツのオーバーレイ処理方法。
【請求項２】
インターネットを介して少なくとも一つの動映像サービスを提供するコンピュータと連結される動映像再生方法において、
前記サーバー側から伝送されるコーディングされた動映像データーと、スクリプトとを受信する受信段階と；
前記コーディングされた動映像データーをデコーディングし、スクリプトに含まれた編集情報に従い動映像にコンテンツを合成する合成段階と；
この合成されたコンテンツがオーバーレイされた動映像を再生する再生段階とを含むことを特徴とする動映像とコンテンツのオーバーレイ処理方法。
【請求項３】
前記編集情報は、動映像とコンテンツの位置情報および形態情報と、動映像とコンテンツ間の合成情報と再生時間とを含むことを特徴とする特許請求の範囲第１項または第２項に記載の動映像とコンテンツのオーバーレイ処理方法。
【請求項４】
前記コンテンツは、テキストまたは所定のホームページをリンクするハイパーテキスト（Ｈｙｐｅｒｔｅｘｔ）可能な文字であることを特徴とする特許請求の範囲第１項または第２項に記載の動映像とコンテンツのオーバーレイ処理方法。
【請求項５】
前記コンテンツは、バナー広告であることを特徴とする特許請求の範囲第１項または第２項に記載の動映像とコンテンツのオーバーレイ処理方法。
【請求項６】
前記コンテンツは、写真または絵などのグラフィックイメージであることを特徴とする特許請求の範囲第１項または第２項に記載の動映像とコンテンツのオーバーレイ処理方法。
【請求項７】
前記コンテンツは、香り情報であることを特徴とする特許請求の範囲第１項または第２項に記載の動映像とコンテンツのオーバーレイ処理方法。
【請求項８】
前記コンテンツは、音源情報であることを特徴とする特許請求の範囲第１項または第２項に記載の動映像とコンテンツのオーバーレイ処理方法。
【請求項９】
第１項または第２項による方法を実行させるためのプログラムを記録したコンピュータが読める記録媒体。
【請求項１０】
インターネットを介して多数の使用者のコンピュータと連結される動映像サービスを提供するコンピュータで実行可能な動映像電子メール処理方法において、
電子メール受信者の電子メールの住所の入力を受ける住所入力段階と；
提供された多数の動映像の中の一つを選択する選択段階と；
前記選択された動映像にオーバーレイさせるコンテンツを選択するコンテンツ選択段階と；
前記動映像と前記コンテンツに対する編集情報を生成する編集情報生成段階と；
前記編集情報生成段階で生成された編集情報と、コンテンツデーター情報とを含めてスクリプト（Ｓｃｒｉｐｔ）を生成するスクリプト生成段階と；
前記スクリプトと動映像の位置したＵＲＬ情報とを含めてメールメッセージを生成するメッセージ生成段階と；
前記メールメッセージを電子メール受信者の電子メールのサーバーに伝送する電子メール伝送段階とを含むことを特徴とする動映像とコンテンツのオーバーレイ処理方法を利用した電子メール処理方法。
【請求項１１】
インターネットを介して少なくとも一つの電子メールサーバと連結されるコンピュータで実行可能な動映像再生方法において、
前記電子メールサーバーからスクリプトと動映像の位置したＵＲＬ情報とを含んだメールメッセージを受信する電子メール受信段階と；
前記電子メールのメールメッセージに含まれた情報に従いコーディングされた動映像データーと、スクリプトとを受信する動映像およびスクリプト受信段階と；
前記コーディングされた動映像データーをデコーディングし、スクリプトに含まれた編集情報に従い動映像にコンテンツを合成する合成段階と；
この合成されたコンテンツがオーバーレイされた動映像を再生する再生段階とを含むことを特徴とする動映像とコンテンツのオーバーレイ処理方法を利用した電子メール処理方法。
【請求項１２】
前記編集情報は、動映像とコンテンツの位置情報および形態情報と、動映像とコンテンツ間の合成情報と再生時間とを含むことを特徴とする特許請求の範囲第１０項または第１１項に記載の動映像とコンテンツのオーバーレイ処理方法を利用した電子メール処理方法。
【請求項１３】
前記コンテンツは、テキストまたは所定のホームページをリンクするハイパーテキスト（Ｈｙｐｅｒｔｅｘｔ）可能な文字であることを特徴とする特許請求の範囲第１０項または第１１項に記載の動映像とコンテンツのオーバーレイ処理方法を利用した電子メール処理方法。
【請求項１４】
前記コンテンツは、バナー広告であることを特徴とする特許請求の範囲第１０項または第１１項に記載の動映像とコンテンツのオーバーレイ処理方法を利用した電子メール処理方法。
【請求項１５】
前記コンテンツは、写真または絵などのグラフィックイメージであることを特徴とする特許請求の範囲第１０項または第１１項に記載の動映像とコンテンツのオーバーレイ処理方法を利用した電子メール処理方法。
【請求項１６】
前記コンテンツは、香り情報であることを特徴とする特許請求の範囲第１０項または第１１項に記載の動映像とコンテンツのオーバーレイ処理方法を利用した電子メール処理方法。
【請求項１７】
前記コンテンツは、音源情報であることを特徴とする特許請求の範囲第１０項または第１１項に記載の動映像とコンテンツのオーバーレイ処理方法を利用した電子メール処理方法。
【請求項１８】
第１０項または第１１項による方法を実行させるためのプログラムを記録したコンピュータが読める記録媒体。
【発明の詳細な説明】
（技術的分野）
本発明は、動映像とコンテンツのオーバーレイ処理方法およびそれを利用した電子メール処理方法と前記の方法を実行させるためのプログラムを記録したコンピュータが読める記録媒体に関するもので、より詳細には、サービス提供者がデーターベースサーバーに貯蔵された動映像または多数のウェブカメラによって実時間で撮影して臨時貯蔵装置に貯蔵し、ネットワークを介して実時間で提供される動映像に付加して、字幕などのコンテンツをオン−ディマンド（Ｏｎ−ｄｅｍａｎｄ）形態に提供する場合においてのコンテンツがオーバーレイされた動映像を処理する処理方法と、動映像メールを送受信する動映像電子メール処理方法に関するものである。
【０００１】
（背景技術）
通常的なオン−ディマンド形態の動映像処理方法は、サービス提供者のデーターベースサーバーに貯蔵された映画やミュージックビデオなどの動映像、または多数のウェブカメラにより実時間で撮影されて臨時貯蔵装置に貯蔵され、ネットワークを介して実時間で提供される動映像を、使用者がインターネットに接続して要請した場合、サーバー側では、この動映像データーをコーディングして使用者側に伝送し、使用者側では、前記サーバー側から伝送された圧縮された動映像データーをストリーミング（Ｓｔｒｅａｍｉｎｇ）またはダウンローディング（Ｄｏｗｎｌｏａｄｉｎｇ）方式で受信して、自分のコンピュータ内で実行される媒体再生機を介して視聴できるようにしたもので、前記媒体再生機は、前記サーバー側から受信した圧縮された動映像データーをデコーディングして使用者にディスプレイ（Ｄｉｓｐｌａｙ）する。
【０００２】
一方、このような動映像提供サービスに付加して、使用者に字幕などのコンテンツを提供する場合、従来の場合、図１に図示されているように動映像データーにコンテンツをミキシング（Ｍｉｘｉｎｇ）する方法が使用されてきた。
【０００３】
図１は、従来のストリーム方式を利用したコンテンツがオーバーレイされた動映像処理のブロック図で、サーバー側で元来の動映像ストリームファイルを編集して、字幕などのコンテンツをオーバーレイさせた字幕処理ファイルを生成し、これをコーディングして使用者側に伝送し、使用者側ではこれをインターネットを介して受信して媒体再生機を介してデコーディングしてディスプレイする。
【０００４】
しかし、このような従来の方法においては、元来の動映像ファイルに字幕などのコンテンツをオーバーレイさせて生成した字幕処理ファイルをサーバー側にコーディングして伝送し、使用者側では、これをデコーディングしてディスプレイすることによって、コーディングおよびデコーディング処理に伴う損失によって字幕などのコンテンツが歪曲される現象が発生し、ひどい場合は、これを読み込むのが難しいという問題点があった。
【０００５】
また、従来の方式は、サービス提供者であるサーバー側で予め編集する方式なので、使用者側では元来の動映像を任意に編集できる余地がなかった。
【０００６】
また、従来の場合、動映像電子メールサービスにおいて、動映像を電子メールで提供し、ストリーム方式で再生できるようにした多数のサービスがあったが、このサービスたちは、動映像とメッセージが別途に提供されており、動映像にメッセージがオーバーレイされた形態の電子メールサービスは現在に至るまで提供されていなかった。
【０００７】
（発明の詳細な説明）
本発明は、前記のような諸般問題点を解決するために発明されたもので、動映像にハイパーテキスト（Ｈｙｐｅｒｔｅｘｔ）可能な文字、バナー広告、写真、オーディオ、香りなどのコンテンツを別途に処理できるようにして、使用者が自由に全体の内容を編集できるようにする、動映像とコンテンツのオーバーレイ処理方法を提供することをその目的とする。
【０００８】
本発明のまた別の目的は、動映像にハイパーテキスト（Ｈｙｐｅｒｔｅｘｔ）可能な文字、バナー広告、オーディオ、香りなどのコンテンツを別途に処理できるようにして、使用者が自由に全体の内容を編集できるようにする、動映像とコンテンツのオーバーレイ処理方法を利用した電子メール処理方法を提供することをその目的とする。
【０００９】
前記の目的を達成するための本発明による動映像とコンテンツのオーバーレイ処理方法の一様状によると、本発明による動映像とコンテンツのオーバーレイ処理方法は、インターネットを介して多数の使用者のコンピュータと連結され動映像サービスを提供する動映像処理方法において、提供された多数の動映像の中の一つを選択する動映像選択段階と；前記選択された動映像にオーバーレイさせる一つ以上のコンテンツを選択するコンテンツ選択段階と；前記動映像と前記コンテンツに対する編集情報を生成する編集情報生成段階と；前記編集情報生成段階で生成された編集情報と、コンテンツデーター情報とを含めてスクリプト（Ｓｃｒｉｐｔ）を生成するスクリプト生成段階と；前記動映像をコーディングしたデーターと前記スクリプトとを使用者のコンピュータに伝送する伝送段階とを含むことを特徴とする。
【００１０】
本発明による動映像とコンテンツのオーバーレイ処理方法のまた別の様状によると、本発明による動映像とコンテンツのオーバーレイ処理方法は、インターネットを介して少なくとも一つの動映像サービスを提供するコンピュータと連結される動映像再生方法において、前記サーバー側から伝送されるコーディングされた動映像データーと、スクリプトとを受信する受信段階と；前記コーディングされた動映像データーをデコーディングし、スクリプトに含まれた編集情報に従い動映像にコンテンツを合成する合成段階と；この合成されたコンテンツがオーバーレイされた動映像を再生する再生段階とを含むことを特徴とする。
【００１１】
本発明による動映像とコンテンツのオーバーレイ処理方法の付加的な様状によると、本発明による動映像とコンテンツのオーバーレイ処理方法の前記編集情報は、動映像とコンテンツの位置情報および形態情報と、動映像とコンテンツ間の合成情報と再生時間とを含むことを特徴とする。
【００１２】
本発明による動映像とコンテンツのオーバーレイ処理方法を利用した電子メール処理方法の一様状によると、本発明による動映像とコンテンツのオーバーレイ処理方法を利用した電子メール処理方法は、インターネットを介して多数の使用者のコンピュータと連結される動映像サービスを提供するコンピュータで実行可能な動映像電子メール処理方法において、電子メール受信者の電子メールの住所の入力を受ける住所入力段階と；提供された多数の動映像の中の一つを選択する選択段階と；前記選択された動映像にオーバーレイさせるコンテンツを選択するコンテンツ選択段階と；前記動映像と前記コンテンツに対する編集情報を生成する編集情報生成段階と；前記編集情報生成段階で生成された編集情報と、コンテンツデーター情報とを含めてスクリプト（Ｓｃｒｉｐｔ）を生成するスクリプト生成段階と；前記スクリプトと動映像の位置したＵＲＬ情報とを含めてメールメッセージを生成するメッセージ生成段階と；前記メールメッセージを電子メール受信者の電子メールのサーバーに伝送する電子メール伝送段階とを含むことを特徴とする。
【００１３】
本発明による動映像とコンテンツのオーバーレイ処理方法を利用した電子メール処理方法のまた別の様状によると、本発明による動映像とコンテンツのオーバーレイ処理方法を利用した電子メール処理方法は、インターネットを介して少なくとも一つの電子メールサーバと連結されるコンピュータで実行可能な動映像再生方法において、前記電子メールサーバーからスクリプトと動映像の位置したＵＲＬ情報とを含んだメールメッセージを受信する電子メール受信段階と；前記電子メールのメールメッセージに含まれた情報に従いコーディングされた動映像データーと、スクリプトとを受信する動映像およびスクリプト受信段階と；前記コーディングされた動映像データーをデコーディングし、スクリプトに含まれた編集情報に従い動映像にコンテンツを合成する合成段階と；この合成されたコンテンツがオーバーレイされた動映像を再生する再生段階とを含むことを特徴とする。
【００１４】
本発明による動映像とコンテンツのオーバーレイ処理方法を利用した電子メール処理方法の付加的な様状によると、本発明による動映像とコンテンツのオーバーレイ処理方法を利用した電子メール処理方法の前記編集情報は、動映像とコンテンツの位置情報および形態情報と、動映像とコンテンツ間の合成情報と再生時間とを含むことを特徴とする。
【００１５】
（実施例）
以下、添付の図面を参照に記述される本発明の好ましい実施例を介して、本発明を当業者が容易に理解し、再現できるように詳細に説明する。
【００１６】
図２は、ストリーム方式を利用した本発明による動映像とコンテンツのオーバーレイ処理方法のブロック図である。
【００１７】
本発明によるコンテンツがオーバーレイされた動映像の処理方法は、サービス提供者のサーバー側で処理される方法と、使用者側で処理される方法とを含む。
【００１８】
前記サーバー側で処理される方法は、インターネット接続した使用者から動映像を選択してもらいコンテンツの入力を受け、前記動映像に前記コンテンツをオーバーレイさせた編集情報を生成し、前記動映像データーはコーディング処理してビデオパケット（Ｖｉｄｅｏ Ｐａｃｋｅｔ）形態で、前記編集情報とコンテンツデーター情報とを含むスクリプト（Ｓｃｒｉｐｔ）はスクリプトパケット（Ｓｃｒｉｐｔ Ｐａｃｋｅｔ）形態で使用者のコンピュータにウェブキャスティングする、サービス提供者のサーバー側で実行される。
【００１９】
前記使用者側で処理される方法は、サーバーからウェブキャスティングされた前記ビデオパケットはビデオコーデック（Ｖｉｄｅｏ Ｃｏｄｅｃ）を介してデコーディングし、スクリプトパケットはスクリプト分析機（Ｓｃｒｉｐｔ Ｐａｓｅｒ）を介して分析して合成機（Ｓｙｎｔｈｅｓｉｚｅｒ）を介して合成し、レンダリングしてコンテンツがオーバーレイされた動映像を再生し、動映像にオーバーレイされたハイパーテキスト（Ｈｙｐｅｒｔｅｘｔ）をクリックした場合、該当ＵＲＬをオープン（Ｏｐｅｎ）したり、電子メールを送るなどの動作をする、使用者のコンピュータで実行される。
【００２０】
図３は、本発明による動映像とコンテンツのオーバーレイ処理方法のフローチャートである。
【００２１】
より詳細には、前記サーバー側で処理される方法は、選択段階Ｓ１００，コンテンツ入力段階Ｓ１１０，編集情報生成段階Ｓ１２０，スクリプト生成段階Ｓ１３０，伝送段階Ｓ１４０とを含む。
【００２２】
前記選択段階Ｓ１００では、提供された多数の動映像の中の一つをインターネット接続した使用者から選択してもらい、前記コンテンツ入力段階Ｓ１１０で、前記選択された動映像にオーバーレイさせるコンテンツを使用者から入力してもらう。
【００２３】
この時、前記コンテンツは、非リンク文字、所定のホームページをリンクするハイパーテキスト（Ｈｙｐｅｒｔｅｘｔ）可能な文字、バナー広告、写真または絵などのグラフィックイメージ、電子メール、香り情報、音声情報など、コンピュータの画面にディスプレイできるすべてのものを含む。
【００２４】
一方、編集情報生成段階Ｓ１２０では、コンテンツを動映像にオーバーレイさせる位置情報および形態情報と、動映像とコンテンツ間の合成情報と再生時間を含んだ編集情報を生成し、スクリプト生成段階Ｓ１３０では、前記編集情報生成段階Ｓ１２０で生成された編集情報と、コンテンツデーター情報とを含むスクリプト（Ｓｃｒｉｐｔ）を生成し、前記伝送段階Ｓ１４０で、前記動映像をコーディングしたデーターと前記スクリプトとを使用者のコンピュータに伝送する。
【００２５】
前記使用者側で処理される方法は、受信段階Ｓ２００，合成段階Ｓ２１０，再生段階Ｓ２２０とを含む。
【００２６】
前記受信段階Ｓ２００で、インターネット接続した使用者のコンピュータは、前記サーバー側から伝送されるコーディングされた動映像データーと、スクリプトとを受信し、合成段階Ｓ２１０を介して前記コーディングされた動映像をデコーディングし、スクリプトに含まれた編集情報に従い動映像にコンテンツを合成し、再生段階Ｓ２２０を介してこの合成されたコンテンツがオーバーレイされた動映像を再生する。
【００２７】
従って、本発明によるコンテンツがオーバーレイされた動映像の処理方法は、従来とは異なり、サーバー側でコンテンツを動映像と合成せずに、各々圧縮された動映像と、コンテンツを動映像にオーバーレイさせる位置情報および形態情報と、動映像とコンテンツ間の合成情報と再生時間を含む編集情報とコンテンツデーター情報とを含むスクリプト（Ｓｃｒｉｐｔ）を使用者のコンピュータに伝送し、使用者のコンピュータ側で動映像にコンテンツがオーバーレイされるようにすることによって、データー伝送のためのコーディングおよびデコーディング処理に伴う損失によってコンテンツが歪曲される現象を防止することができるようになる。つまり、本発明ではコンテンツがコーディングおよびデコーディングにより圧縮および解除されないので、データーが損失されなくなり、歪曲されることのないコンテンツを動映像にオーバーレイさせることができるようになる。
【００２８】
図４は、本発明による動映像とコンテンツのオーバーレイ処理方法においての再生処理のブロック図である。
【００２９】
サーバー側でウェブキャスティングされたビデオパケットは、ビデオコーデック（Ｖｉｄｅｏ Ｃｏｄｅｃ）１１によりデコーディングされて圧縮解除され、スクリプトは、スクリプト分析機（Ｓｃｒｉｐｔ Ｐａｓｅｒ）１２によって分析される。ビデオコーデック１１により圧縮解除されたビデオデーター、およびスクリプト分析機により分析されたコンテンツは、合成機（Ｓｙｎｔｈｅｓｉｚｅｒ）１４によって合成され、ビデオレンダー（Ｖｉｄｅｏ Ｒｅｎｄｅｒ）１５を経てストリーム（Ｓｔｒｅａｍ）再生される。
【００３０】
従って、ディスプレイされる動映像の上にコンテンツがオーバーレイされ、このオーバーレイされたコンテンツがハイパーテキスト（Ｈｙｐｅｒｔｅｘｔ）である場合、使用者がマウスクリックするように該当ＵＲＬをオープン（Ｏｐｅｎ）したり、電子メールの作成などの機能を遂行し、バナーバー（Ｂａｎｎｅｒ Ｂａｒ）である場合は、広告ページをオープン（Ｏｐｅｎ）することになる。
【００３１】
一方、図４に図示されているように、本発明によるオーバーレイされた動映像の処理方法は、前記オーディオコデック１３によりオーディオデーターを圧縮解除し、前記合成機１４を介してビデオデーターおよびコンテンツと合成し、オーディオレンダー（Ａｕｄｉｏ Ｒｅｎｄｅｒ）１６を経てオーディオデーターを再生するオーディオ処理を含む。
【００３２】
このオーディオデーターに対する処理は、前記ビデオデーターの処理方法と同じくデコーディングおよびコーディング段階を経て圧縮および圧縮解除されて復元されるもので、詳しい説明は省略する。
【００３３】
図５は、本発明による動映像とコンテンツのオーバーレイ処理方法を利用した電子メール処理方法のフローチャートである。
【００３４】
本発明によるコンテンツがオーバーレイされた動映像の処理方法を利用した電子メール方法は、サービス提供者のサーバー側で処理される電子メール送信方法と、電子メール受信者側で処理される電子メール受信方法とを含む。
【００３５】
前記電子メール送信方法は、インターネット接続した使用者から電子メール受信者の住所および送りたい動映像を選択してもらいコンテンツの入力を受け、前記動映像に前記コンテンツをオーバーレイさせた編集情報を生成し、前記動映像データーはコーディング処理してビデオパケット（Ｖｉｄｅｏ Ｐａｃｋｅｔ）形態で、前記編集情報とコンテンツデーター情報とを含むスクリプト（Ｓｃｒｉｐｔ）はスクリプトパケット形態で電子メール受信者の電子メールのサーバーに送信する、サービス提供者のサーバー側で実行される方法である。
【００３６】
前記電子メール受信方法は、電子メール受信者がインターネット接続して前記電子メールサーバーから受信した前記ビデオパケットはビデオコーデック（Ｖｉｄｅｏ Ｃｏｄｅｃ）を介してデコーディングし、スクリプトパケットはスクリプト分析機（Ｓｃｒｉｐｔ Ｐａｓｅｒ）を介して分析して合成機（Ｓｙｎｔｈｅｓｉｚｅｒ）を介して合成し、レンダリングしてコンテンツがオーバーレイされた動映像を再生し、動映像にオーバーレイされたハイパーテキスト（Ｈｙｐｅｒｔｅｘｔ）をクリックした場合、該当ＵＲＬをオープン（Ｏｐｅｎ）したり、電子メールを送るなどの動作をする、電子メール受信者のコンピュータで実行される方法である。
【００３７】
より詳細には、前記電子メール送信方法は、住所入力段階Ｓ３００，選択段階Ｓ３１０，コンテンツ入力段階Ｓ３２０，編集情報生成段階Ｓ３３０，スクリプト生成段階Ｓ３４０，メッセージ生成段階Ｓ３５０および電子メール伝送段階Ｓ３６０とを含む。
【００３８】
前記住所入力段階Ｓ３００で、電子メール受信者の電子メールの住所をインターネット接続した使用者から入力してもらい、前記選択段階Ｓ３１０で、提供された多数の動映像の中の一つを使用者に選択してもらい、前記コンテンツ入力段階Ｓ３２０で、前記選択された動映像にオーバーレイさせるコンテンツを使用者に入力してもらう。
【００３９】
一方、前記編集生成段階Ｓ３３０を介して前記コンテンツを動映像にオーバーレイさせる位置情報および形態情報と、動映像とコンテンツ間の合成情報と再生時間を含む編集情報を生成し、前記編集情報生成段階Ｓ３３０で生成された編集情報と、コンテンツデーター情報とを混合して前記スクリプト生成段階Ｓ３４０を介してスクリプト（Ｓｃｒｉｐｔ）を生成し、前記メッセージ生成段階Ｓ３５０で、前記スクリプトおよび動映像の位置したＵＲＬ情報とを含めてメールメッセージを生成し、前記電子メール伝送段階Ｓ３６０を介して前記メールメッセージを電子メール受信者の電子メールのサーバーに伝送する。
【００４０】
前記電子メール受信方法は、電子メール受信段階Ｓ４００，動映像およびスクリプト受信段階Ｓ４１０，合成段階Ｓ４２０および再生段階Ｓ４３０とを含む。
【００４１】
前記電子メール受信段階Ｓ４００を介して電子メールサーバーからスクリプトと動映像の位置したＵＲＬ情報とを含んだメールメッセージを受信し、動映像およびスクリプト受信段階Ｓ４１０を介して前記電子メールのメールメッセージに含まれた情報に従いコーディングされた動映像データーと、スクリプトとを受信し、前記合成段階Ｓ４２０を介して前記コーディングされた動映像データーをデコーディングし、スクリプトに含まれた編集情報に従い動映像にコンテンツを合成し、この合成されたコンテンツがオーバレイされた動映像を前記再生段階Ｓ４３０を介して再生する。
【００４２】
従って、本発明によるコンテンツがオーバーレイされた動映像の処理方法を利用した電子メール方法も、従来と異なり、サーバー側でコンテンツを動映像と合成せずに、各々圧縮された動映像と、動映像にコンテンツをオーバーレイさせる位置、形態情報および時間情報を含む編集情報とコンテンツデーター情報とを含むスクリプト（Ｓｃｒｉｐｔ）を電子メール受信者のコンピュータに伝送し、電子メール受信者側で動映像にコンテンツがオーバーレイされるようにすることによって、データー伝送のためのコーディングおよびデコーディング処理に伴う損失によってコンテンツが歪曲される現象を防止することができ、電子メール伝送時、動映像にメールメッセージをコンテンツ化してオーバーレオさせることができるので、独特でありながら高級な感じのメールメッセージを伝達することができる。
【００４３】
また、本発明は、前記動映像とコンテンツのオーバーレイ処理方法およびそれを利用した電子メール処理方法を実行させるためのプログラムを記録したコンピュータが読める記録媒体を含む。
【００４４】
このような記録媒体の種類としては、フロッピーディスク（登録商標）（Ｆｌｏｐｐｙ Ｄｉｓｃ）、ハードディスク（Ｈａｒｄ Ｄｉｓｋ）、シーディーロム（ＣＤＲＯＭ）などの通常のメモリー装置を利用し、本発明による動映像とコンテンツのオーバーレイ処理方法およびそれを利用した電子メール処理方法を適用して設置プログラムまたはプラグイン化し、コンピュータを介して実行できるように貯蔵する。
【００４５】
以下、実施例を介して動映像サービス提供サーバー側から使用者または電子メール受信者側のコンピュータに、コーディングされた動映像および編集情報とコンテンツデーター情報とを含むスクリプトを伝送する過程をより詳細に説明する。
【００４６】
前記動映像およびスクリプトの位置したＵＲＬ住所は、各々コンピュータで実行可能なプログラム内でプラグインタグ（Ｐｌｕｂ ｉｎ Ｔａｇ）内の両因子（Ｐａｒａｍｅｔｅｒ）となる。
【００４７】
使用者または電子メール受信者のコンピュータがサーバーに動映像サービスを要請した場合、サーバーは前記プラグイン内の両因子に貯蔵された動映像とスクリプトのＵＲＬ位置で前記動映像およびスクリプトを使用者または電子メール受信者のコンピュータに伝送するように処理し、使用者または電子メール受信者のコンピュータは、前記動映像およびスクリプトをストリーム（Ｓｔｒｅａｍ）またはダウンローディング（Ｄｏｗｎｌｏａｄｅｉｎｇ）方式で受信して再生する。
【００４８】
＜実施例１＞
実施例１は、動映像とスクリプトすべてダウンローディング方式により動映像サービス提供サーバー側から使用者または電子メール受信者側のコンピュータに伝送される場合である。
【００４９】
使用者または電子メール受信者のコンピュータの要請により、サーバーはプラグインタグ内の両因子を参照して、該当ＵＲＬから動映像およびスクリプトを使用者または電子メール受信者のコンピュータに一括伝送する。
【００５０】
使用者または電子メール受信者のコンピュータは、前記動映像およびスクリプトのダウンロードが終わった後、所定の媒体再生機を介して動映像を実行させることになり、この時動映像にコンテンツがオーバーレイされる位置情報および形態情報と、動映像とコンテンツ間の合成情報と再生時間を含んだ編集情報とコンテンツデーター情報とを含む前記スクリプトによって、動映像の所定位置に所定のコンテンツがオーバーレイされる。
【００５１】
前記のコンテンツは、一般文字、リンク機能を有したハイパーテキスト文字、ＨＴＭＬ文書、電子メール住所、絵、写真などのイメージなど媒体再生機で支援するすべての形態のデーター形式を含む。
【００５２】
＜実施例２＞
実施例２は、動映像とスクリプトすべてストリーム方式により動映像サービス提供サーバー側から使用者または電子メール受信者側のコンピュータに伝送される場合である。
【００５３】
使用者または電子メール受信者のコンピュータの要請により、サーバーはプラグインタグ内の両因子を参照して、該当ＵＲＬから動映像およびスクリプトを使用者または電子メール受信者のコンピュータにパケット単位で伝送する。
【００５４】
使用者または電子メール受信者のコンピュータは、パケット単位で伝送される前記動映像およびスクリプトを所定の媒体再生機を介して動映像を実行させることになり、この時動映像にコンテンツがオーバーレイされる位置情報および形態情報と、動映像とコンテンツ間の合成情報と再生時間を含む編集情報とコンテンツデーター情報とを含む前記スクリプトによって、パケット単位で伝送される動映像の所定位置に所定のコンテンツがオーバーレイされる。
【００５５】
＜実施例３＞
実施例３は、動映像サービス提供サーバー側から使用者または電子メール受信者側のコンピュータに、スクリプトが先にダウンローディング方式によって伝送され、動映像はストリーミング方式で伝送される場合である。
【００５６】
使用者または電子メール受信者のコンピュータの要請により、サーバーはプラグインタグ内の両因子を参照して、該当ＵＲＬからスクリプトを使用者または電子メール受信者のコンピュータに一括伝送し、その後動映像をパケット単位で伝送すると、使用者または電子メール受信者のコンピュータ内の所定の媒体再生機を介して動映像がディスプレイされ、この時予めダウンロードされた動映像にコンテンツがオーバーレイされる位置情報および形態情報と、動映像とコンテンツ間の合成情報と再生時間を含む編集情報とコンテンツデーター情報とを含む前記スクリプトによって、パケット単位で伝送される動映像の所定位置に所定のコンテンツがオーバーレイされる。
【００５７】
＜実施例４＞
実施例４は、動映像とスクリプトがストリーミングまたはダウンローディング方式により動映像サービス提供サーバー側から使用者または電子メール受信者のコンピュータに伝送されて、使用者または電子メール受信者側のコンピュータで実行される媒体再生機を介してディスプレイされるコンテンツがオーバーレイされる動映像において、前記オーバーレイされるコンテンツも動映像である場合である。
【００５８】
つまり、この場合はプラグインタグの両因子の中の一つであるスクリプトＵＲＬの位置に貯蔵されたスクリプトが、また別のプラグインタグを含む場合である。
【００５９】
従って、使用者または電子メール受信者のコンピュータは、所定の媒体再生機を介して動映像を実行させることになり、この時動映像にコンテンツがオーバーレイされる位置情報および形態情報と、動映像とコンテンツ間の合成情報と再生時間を含む編集情報とコンテンツデーター情報とを含む前記スクリプトによって、動映像の所定位置に所定の動映像がオーバーレイされる。
【００６０】
＜実施例５＞
実施例５は、前記実施例１乃至４の伝送方式の中の一つを使用するが、コンテンツに香り情報を含む場合に対する実施例である。
【００６１】
この場合は、たとえばトリセンス社（Ｔｒｉｓｅｎｘ， Ｉｎｃ．）のソフトウェアーＳＥＮＸＷａｒｅ ＳＤＳ（Ｓｃｅｎｔ Ｄｅｓｉｇｎ Ｓｔｕｄｉｏ）に互換される香り情報を本発明によるコンテンツに包含させ、動映像サービス提供サーバー側から使用者または電子メール受信者側のコンピュータに伝送され、使用者または電子メール受信者のコンピュータで実行される専用香り発生カートリッジを介して香り情報を再生することになる。
【００６２】
つまり、送信側から提供される動映像に適合な香りを使用者が選択する場合、適合な時期に望みの香りが発香されるようにすることができる。
【００６３】
＜実施例６＞
実施例６は、前記実施例１乃至４の伝送方式の中の一つを利用するが、コンテンツにオーディオ情報を含む場合に対する実施例である。
【００６４】
この場合、使用者が任意に選択またはアップロードした音声、音楽情報などをコンテンツに活用することによって、動映像サービス提供サーバ側から使用者または電子メール受信者側のコンピュータに伝送され、使用者または電子メール受信者側のコンピュータでオーディオ情報を再生することになる。
【００６５】
＜実施例７＞
実施例７は、前記実施例１乃至４の伝送方式の中の一つを利用するが、コンテンツがテキスト、画像、オーディオ、香り、ＨＴＭＬなど複数個を含む場合に対する実施例である。
【００６６】
図６に図示されているように、たとえば３３分分量の１セッション（Ｓｅｓｓｉｏｎ）動映像編集を使用者が遂行しようとする場合、図６（ａ）に図示されているように、１０分間は第１動映像を、１分間は第１停止画像を、次の１０分間は第１動映像の上に第１停止画像を、次の１分間は第１停止画像を、次の１０分間は第２動映像を、次の１分間は第２停止画像で構成する。この時、音源は、図６の（ｂ）に図示されているように、１０分間は第１音源、１分間は第２音源、次の１０分間は第１音源と第２音源の結合、次の１分は第２音源、次の１０分間は第３音源、次の１分間は第２音源の順序に構成される。この時、香りは図６の（ｃ）に図示されているように、１１分後から、つまり第１動映像の上に第１停止画像がオーバーレイされている間だけハーブ（Ｈｅｒｂ）の香りが発香されるようにし、また使用者のメッセージに該当するテキストは、図６の（ｄ）に図示されているように、前記香りの発香期間に任意の領域でディスプレイされるようにする。また、図６の（ｅ）に図示されているように、ハイパーテキストは、各時間帯別に異なるように構成する。前記ハイパーテキストがバナー広告である場合は、使用者ではない提供者がサービス提供に対する代価という形態で、使用者の承諾なしに任意に編集して挿入することもできる。つまり、これは使用者が編集した全体１セッションの編集された動映像を、これを見る人が関心を持ちそうな最適な状況下で広告（順次的に、Ａ社広告、Ｂ社広告、Ｃ社広告）を広報することができるように、前記編集された動映像が予めプログラムされ得ることは当然である。
【００６７】
また、前記テキストおよび停止画像は単純なディスプレイも可能であるが、ディスプレイされる位置またはディスプレイされる大きさが多様であり得、スクロール（Ｓｃｒｏｌｌ）やマーキー（ｍａｒｑｕｅｅ）、透明処理、半透明処理、画面分割のような多様な効果も与えることができることも当然のことである。
【００６８】
前記実施例では、多様な類型のコンテンツに対する編集情報を生成しているが、使用者による編集情報の入力のない場合は、動映像サービス提供サーバー自体内でランダムに編集情報を生成して伝送することも可能である。
【００６９】
（産業上の利用可能性）
以上で説明したように、本発明によるコンテンツがオーバーレイされた動映像の処理方法およびこれを利用した電子メール方法は、サーバー側で動映像とコンテンツを分離して伝送し、使用者または電子メール受信側で動映像にコンテンツがオーバーレイされるようにすることによって、コンテンツの歪曲性が発生しないので鮮明なコンテンツを見ることができ、動映像と電子メールメッセージをさり気なくオーバーレイさせることができて、独特でありながら高級な感じのメールメッセージを使用者が任意に編集可能に伝達することができ、音源や香りなどのコンテンツを活用してメッセージ伝達の立体感を増大させ、オーバーレイされたコンテンツをインタラクティブ（Ｉｎｔｅｒａｃｔｉｖｅ）化して動映像広告に適用する場合、広告効果を増大させることができる、などの有用な効果がある。
【００７０】
本発明は、添付の図面を参照に好ましい実施例を中心に記述されたが、当業者なら、このような記載から特許請求の範囲により包括される本発明の範疇から外れることなく、多様な変形が可能であることは明白である。
【図面の簡単な説明】
【図１】
従来の動映像とコンテンツのオーバーレイ処理方法のブロック図である。
【図２】
ストリーム方式を利用した本発明による動映像とコンテンツのオーバーレイ処理方法のブロック図である。
【図３】
本発明による動映像とコンテンツのオーバーレイ処理方法のフローチャートである。
【図４】
本発明による動映像とコンテンツのオーバーレイ処理方法においての再生処理のブロック図である。
【図５】
本発明による動映像とコンテンツのオーバーレイ処理方法を利用した電子メール処理方法のフローチャートである。
【図６】
本発明による動映像と複数個のコンテンツのオーバーレイ処理の一実施例を示した図面である。
【図１】
2004519143.tif 000003
【図２】
2004519143.tif 000004
【図３】
2004519143.tif 000005
【図４】
2004519143.tif 000006
【図５】
2004519143.tif 000007
【図６】
2004519143.tif 000008
【国際公開パンフレット】
2004519143.tif 000009
2004519143.tif 000010
2004519143.tif 000011
2004519143.tif 000012
2004519143.tif 000013
2004519143.tif 000014
2004519143.tif 000015
2004519143.tif 000016
2004519143.tif 000017
2004519143.tif 000018
2004519143.tif 000019
2004519143.tif 000020
2004519143.tif 000021
2004519143.tif 000022
2004519143.tif 000023
2004519143.tif 000024
2004519143.tif 000025
2004519143.tif 000026
2004519143.tif 000027
2004519143.tif 000028
2004519143.tif 000029
2004519143.tif 000030
2004519143.tif 000031
2004519143.tif 000032
2004519143.tif 000033
2004519143.tif 000034
2004519143.tif 000035
2004519143.tif 000036
2004519143.tif 000037
2004519143.tif 000038
2004519143.tif 000039
2004519143.tif 000040
2004519143.tif 000041
2004519143.tif 000042
2004519143.tif 000043
2004519143.tif 000044
2004519143.tif 000045
2004519143.tif 000046
2004519143.tif 000047
【国際調査報告】
2004519143.tif 000048